(57)【要約】【課題】組み付け時および組み付け後において、ボルトが板材から脱落するおそれが少なく、しかも構造が簡単で、組み付け作業が容易な２部材の連結構造、およびそれを備える仕切装置を提供する。【解決手段】ボルト８の雄ねじ部８ａと大径頭部８ｃとの間に非円形部８ｂを設け、支柱２に、長軸の長さをボルト８の大径頭部８ｃの直径より大、かつ短軸の長さをボルト８の大径頭部８ｃの直径より小であるが、ボルト８の大径頭部８ｃを斜めにすれば挿通しうる程度の寸法とした非円形大孔１１の下に非円形小孔１２を連設した変形だるま孔１０を穿設し、ボルト８の非円形部８ｂを非円形小孔１２と仕切部材３に設けた係合孔２３とに嵌合して、ボルト８の雄ねじ部８ａに螺合したナット９を締め付けることにより、支柱２と仕切部材３とを連結する。【選択図】  図２
2016065409.tif 000002
【特許請求の範囲】
【請求項１】
雄ねじ部と、その直径より大径の大径頭部との間に、少なくとも一部の幅が、前記雄ねじ部の直径よりも大で、かつ少なくとも一部の幅が、前記大径頭部の直径よりも小とした非円形部を設けたボルトと、
長軸の長さを、前記ボルトの大径頭部の直径より大で、かつ短軸の長さを前記ボルトの大径頭部の直径より小であるが、前記ボルトの大径頭部を斜めにすれば挿通しうる程度の寸法とした非円形大孔、およびこの非円形大孔の周縁の一部に連設され、かつ前記ボルトの非円形部が嵌合することにより、前記ボルトが回り止めされるようにした非円形小孔を備える変形だるま孔を穿設した第１の板材と、
前記ボルトの非円形部が嵌合しうる係合孔を穿設した第２の板材と、
前記ボルトの雄ねじ部に螺合するナット
とを備え、前記ボルトの非円形部を、前記第１の板材における変形だるま孔の非円形小孔に嵌合させて、前記ボルトの雄ねじ部に螺合するナットを締め付けることにより、前記第１の板材と第２の板材とを、前記ボルトの大径頭部とナットとの間に締着するようにしたことを特徴とする２部材の連結構造。
【請求項２】
ボルトの非円形部を四角形とし、かつ変形だるま孔の非円形小孔を、前記ボルトの非円形部の四角形と補形をなし、１対角線が変形だるま孔の非円形大孔の長軸または短軸の延長線と一致する四角形とし、さらに、前記変形だるま孔における非円形大孔と非円形小孔との連設部の幅を、前記ボルトの雄ねじ部の直径より大とした請求項１記載の２部材の連結構造。
【請求項３】
変形だるま孔の非円形大孔を、楕円形または長円形とした請求項１または２記載の２部材の連結構造。
【請求項４】
第２の板材における係合孔を、それにボルトの非円形部を嵌合したとき、第２の板材に対してボルトが回り止めされる形状とし、かつ前記ボルトの非円形部を、第１の板材における変形だるま孔の非円形小孔と前記第２の板材における係合孔との両方に嵌合させて、前記ボルトの雄ねじ部に螺合するナットを締着した請求項１〜３のいずれかに記載の２部材の連結構造。
【請求項５】
床面等に立設した１対の支柱間に、少なくとも両側部に側部フレームを備える仕切部材を架設してなる仕切装置において、
前記各支柱と仕切部材の側部フレームとの対向部を板材により形成し、両板材の上部と下部とを、請求項１〜４のいずれかに記載の２部材の連結構造をもって連結したことを特徴とする仕切装置。
【請求項６】
支柱の上下部に、変形だるま孔を、その非円形小孔が下方を向くようにして設け、かつそれに対向する仕切部材における側部フレームの上部と下部とのいずれか一方に、係合孔と、この係合孔から側部フレームの縁に向かって斜め下向きに開口する導入口とを設け、前記仕切部材における側部フレームの上部と下部とのいずれか他方に、係合孔と、この係合孔から側部フレームの縁に向かって水平に開口する導入口とを設け、前記両導入口の幅を、ボルトの雄ねじ部の直径より大、前記ボルトの非円形部の最小幅と同一かまたはそれより小とした請求項５記載の仕切装置。
【発明の詳細な説明】
【技術分野】
【０００１】
本発明は、２部材の連結構造、およびそれを備える仕切装置に関する。
【背景技術】
【０００２】
２部材の連結構造として、例えば、一方の板材(平鋼１)にだるま孔(ボルト用孔１０)を設け、他方の板材(補助平鋼４)に係合孔(楕円形取付孔６)を設け、ボルト(８)における雄ねじ部(ネジ部８ａ)と大径頭部(ボルト頭部８ｃ)との間に非円形部(楕円形部８ｂ)を設け、ボルトの大径頭部をだるま孔の大径部に挿入し、ボルトを下げて、非円形部をだるま孔の楕円形部を嵌合させることにより、ボルトを一方の板材に表側から取り付けることができるようにしたものがある(例えば特許文献１参照)。
【０００３】
また、危険性のある場所への人の立ち入りを防ぐための安全柵等の仕切装置としては、例えば、床面または地面に立設した１対の支柱間に、格子状とした仕切エレメントの両側縁の上下部を係止するようにしたものがある(例えば特許文献２および３参照)。
【先行技術文献】
【特許文献】
【０００４】
【特許文献１】実開平５−２９２３７号公報(特に図２および図５、並びに段落００１１)
【特許文献２】特許第４５１１３４７号公報
【特許文献３】米国特許第５３７２３５４号明細書
【発明の概要】
【発明が解決しようとする課題】
【０００５】
特許文献１に記載されているものにおいては、異径孔を連設しただるま孔(ボルト用孔１０)の大径部を、ボルトの大径頭部が挿通しうる(特許文献１における段落００１１の記載)真円(特許文献１における図２(Ｄ)の記載)としてあるので、ボルトが、振動等の何らかの理由で持ち上げられたとき、ボルトの大径頭部がだるま孔の大径部から外れて、ボルトが一方の板材(平鋼１)から脱落するおそれがある。
【０００６】
また、特許文献２および３に記載されている安全柵は、支柱への仕切エレメントにおける両側縁の上下部の係止構造や取り付け構造、並びにロック手段(特許文献２におけるロック手段１２)やエンドキャップの進退機構(特許文献３におけるエンドキャップ４６〜４９、圧縮ばね７１〜７４、および図７)が複雑であり、また取り付け作業が繁雑である等の問題がある。
【０００７】
本発明は、従来の技術が有する上記のような問題点に鑑みてなされたもので、組み付け時および組み付け後において、ボルトが板材から脱落するおそれが少なく、しかも構造が簡単で、組み付け作業が容易な２部材の連結構造、およびそれを備える仕切装置を提供することを目的としている。
【課題を解決するための手段】
【０００８】
本発明によると、上記課題は、次のようにして解決される。
（１）２部材の連結構造において、雄ねじ部と、その直径より大径の大径頭部との間に、少なくとも一部の幅が、前記雄ねじ部の直径よりも大で、かつ少なくとも一部の幅が、前記大径頭部の直径よりも小とした非円形部を設けたボルトと、長軸の長さを、前記ボルトの大径頭部の直径より大で、かつ短軸の長さを前記ボルトの大径頭部の直径よりも小であるが、前記ボルトの大径頭部を斜めにすれば挿通しうる程度の寸法とした非円形大孔、およびこの非円形大孔の周縁の一部に連設され、かつ前記ボルトの非円形部が嵌合することにより、前記ボルトが回り止めされるようにした非円形小孔を備える変形だるま孔を穿設した第１の板材と、前記ボルトの非円形部が嵌合しうる係合孔を穿設した第２の板材と、前記ボルトの雄ねじ部に螺合するナットとを備え、前記ボルトの非円形部を、前記第１の板材における変形だるま孔の非円形小孔に嵌合させて、前記ボルトの雄ねじ部に螺合するナットを締め付けることにより、前記第１の板材と第２の板材とを、前記ボルトの大径頭部とナットとの間に締着する。
【０００９】
このような構成によると、組み付け時において、ボルトの大径頭部を、第１の板材に設けた変形だるま孔の非円形大孔に、斜めにして挿通させた後は、ボルトの大径頭部は、ボルトの中心軸線が第１の板材に対して直交する方向を向く普通の姿勢では、変形だるま孔の非円形大孔から抜け出ることはなく、組み付け時および組み付け後において、ボルトが板材から脱落するのを防止することができる。
また、ボルトの非円形部を第１の板材における変形だるま孔の非円形小孔に嵌合させると、ボルトは回り止めされるので、ボルトの雄ねじ部に螺合するナットを締め付ける際に、ボルトを片手で押さえておかなくても、ボルトがナットと共回りすることがなく、ナットを楽に締め付けることができ、組み付け作業性をよくすることができる。
さらに、従来のだるま孔の形状を変えるだけで、特別な部材を付加したり、特殊な加工を施したりする必要がなく、構造の簡素化を図ることができる。
【００１０】
（２）上記(１)項において、ボルトの非円形部を四角形とし、かつ変形だるま孔の非円形小孔を、前記ボルトの非円形部の四角形と補形をなし、１対角線が変形だるま孔の非円形大孔の長軸または短軸の延長線と一致する四角形とし、さらに、前記変形だるま孔における非円形大孔と非円形小孔との連設部の幅を、前記ボルトの雄ねじ部の直径より大とする。
【００１１】
このような構成によると、ボルトの非円形部を第１の板材における変形だるま孔の非円形小孔に嵌合させたとき、非円形小孔の３個の角部において、ボルトの非円形部の３個の角部と係合することができるので、ボルトを強力に回り止めすることができるとともに、変形だるま孔の形状をデザイン的に優れたものとすることができる。
【００１２】
（３）上記(１)または(２)項において、変形だるま孔の非円形大孔を、楕円形または長円形とする。
【００１３】
このような構成によると、ボルトの大径頭部を、斜めにした状態で、第１の板材に設けた変形だるま孔の非円形大孔に、円滑に挿入することができるだけでなく、楕円形の非円形大孔の長軸が、支柱の長手方向を向くようにすれば、幅狭の支柱を第１の板材とする場合にも、本発明を適用することができ、汎用性が増す。
【００１４】
（４）上記(１)〜(３)項のいずれかにおいて、第２の板材における係合孔を、それにボルトの非円形部を嵌合したとき、第２の板材に対してボルトが回り止めされる形状とし、かつ前記ボルトの非円形部を、第１の板材における変形だるま孔の非円形小孔と前記第２の板材における係合孔との両方に嵌合させて、前記ボルトの雄ねじ部に螺合するナットを締着する。
【００１５】
このような構成によると、第１の板材と第２の板材とが、ボルトの非円形部を介して互いに回り止めされた状態で、ナットにより締着されるので、両部材の結合がより強固となる。
【００１６】
（５）床面等に立設した１対の支柱間に、少なくとも両側部に側部フレームを備える仕切部材を架設してなる仕切装置において、前記各支柱と仕切部材の側部フレームとの対向部を板材により形成し、両板材の上部と下部とを、上記(１)〜(４)項のいずれかに記載の２部材の連結構造をもって連結する。
【００１７】
このような構成によると、支柱に対する仕切部材における各側部フレームの上下部の取付構造を簡素化しうるとともに、組み付け作業性をよくすることができる。
【００１８】
（６）上記(５)項において、支柱の上下部に、変形だるま孔を、その非円形小孔が下方を向くようにして設け、かつそれに対向する仕切部材における側部フレームの上部と下部とのいずれか一方に、係合孔と、この係合孔から側部フレームの縁に向かって斜め下向きに開口する導入口とを設け、前記仕切部材における側部フレームの上部と下部とのいずれか他方に、係合孔と、この係合孔から側部フレームの縁に向かって水平に開口する導入口とを設け、前記両導入口の幅を、ボルトの雄ねじ部の直径より大で、かつ前記ボルトの非円形部の最小幅と同一かまたはそれより小とする。
【００１９】
このような構成によると、ボルトの雄ねじ部の先端部にナットを緩めに螺合させた状態で、ボルトの中心軸線を非円形大孔の短軸方向に斜めに傾かせて、ボルトの大径頭部を、変形だるま孔の非円形大孔に斜めの方向から挿入することにより、各支柱の上下部における変形だるま孔の非円形大孔に、ボルトを、変形だるま孔に、脱落することなく、仮止めしておくことができる。
その状態で、仕切部材の両側部フレームにおける導入口が斜め下向きに開口する方の係合孔を、対応するボルトに係合させた後、仕切部材の両側部フレームにおける導入口が水平に開口する方の係合孔を、対応するボルトに係合させ、このボルトを両支柱間の内方に引き出して、ボルトの非円形部を、対応する変形だるま孔の非円形小孔に嵌合させて、ナットを締め付けることにより、側部フレームにおける導入口が水平に開口する係合孔がある方の部分を、支柱に先に固定し、その後、側部フレームにおける導入口が斜め下向きに開口する係合孔がある方の部分を、上記と同様にして支柱に固定することにより、仕切装置を簡単かつ迅速に組み立てることができる。
特に、ボルトを変形だるま孔に仮止めしているときに、ボルトが変形だるま孔から脱落することがなく、しかも、ナットを締め付ける際に、ボルトがナットと共回りすることがない等の利点がある。
【発明の効果】
【００２０】
本発明によると、組み付け時および組み付け後において、ボルトが板材から脱落するおそれが少なく、しかも構造が簡単で、組み付け作業が容易な２部材の連結構造、およびそれを備える仕切装置を提供することができる。
【図面の簡単な説明】
【００２１】
【図１】本発明の２部材の連結構造を備える仕切装置の一実施形態の斜視図である。
【図２】同じく、分解斜視図である。
【図３】本発明の２部材の連結構造に使用するボルトとナットとの分解斜視図である。
【図４】図２のIV−IV線より見た拡大矢視図である。
【図５】変形だるま孔へのボルトの挿入時の状況を、図４のV−V線において横断して示す横断平面図である。
【図６】図１のVI−VI線における拡大縦断正面図である。
【図７】仕切部材を支柱に取り付けるときの状態を示す縦断側面図である。
【図８】本発明の仕切装置の変形例における仕切部材を支柱に取り付けるときの状態を示す、図７と同様の縦断側面図である。
【発明を実施するための形態】
【００２２】
以下、本発明の２部材の連結構造を備える仕切装置の一実施形態を、図１〜図７を参照して説明する。
図１および図２に示すように、この仕切装置は、危険性のある場所への人の立ち入りを防ぐための安全柵として使用するものであって、床面(地面、その他とすることもあり、これらを総称して、床面等という)１に立設した複数の支柱２、２と、それらの間に架設した仕切部材３とを備えている。なお、図面には、説明を簡単にするため、左右１対の支柱２、２とその間に架設した１個の仕切部材３のみしか示していないが、実際に実施する際には、床面１等に多数の支柱２を立設して、それらの隣接するもの同士の間に、仕切部材３を架設する。
【００２３】
各支柱２は、図２に示すように、角管状をなし、その下端には、前後方向を向くアンカープレート４における中間部を上方に向けて側面視コ字状に屈曲させて形成した上向き突出部４ａが嵌合され、かつボルト５、５とナット５ａ、５ａをもって固着されている。
【００２４】
アンカープレート４の前後部を、アンカーボルト６をもって床面１に固着することにより、支柱２は、床面１上に安定よく立設されている。
なお、床面１に対する支柱２の支持の仕方は、どの様な構成のものでもよく、支柱２の下端を、床面１上に単に載置するだけの場合もある。
【００２５】
各支柱２の上端には、エンドキャップ７が、着脱可能として圧嵌されている。
【００２６】
図３は、本発明の２部材の連結構造に使用するボルト８とナット９との一例を示す。
ボルト８は、雄ねじ部８ａと、雄ねじ部８ａの一端に連設された非円形部８ｂと、この非円形部８ｂにおける雄ねじ部８ａと反対側の端部に連設された大径頭部８ｃとからなっている。
【００２７】
非円形部８ｂは、この例では、縦横の寸法を雄ねじ部８ａの直径Ｌ１と同一か、またはそれより大、対角線の長さを雄ねじ部８ａの直径Ｌ１より大、かつ大径頭部８ｃの直径Ｌ２と同一か、またはそれより小とした立方体としてある。
非円形部８ｂは、少なくとも一部の幅が雄ねじ部８ａの直径Ｌ１より大、かつ少なくとも一部の幅が大径頭部８ｃの直径Ｌ２より小であれば、どの様な形状のものでもよく、例えは、楕円形、長円形、長方形、六角形等とすることができる。
【００２８】
非円形部８ｂの軸線方向の長さは、第１の板材となる支柱２の板厚より大、かつ支柱２の板厚と第２の板材となる後述する側部フレーム１４の外側片１４ａの板厚との和と同一か、またはそれより小とするのが好ましい。
【００２９】
ナット９は、ボルト８の雄ねじ部８ａに螺合するもので、この例では、フランジ９ａ付き六角ナットとしてある。
【００３０】
図２および図５に示すように、各支柱２の前面、後面および両側面の上下部には、変形だるま孔１０が設けられている。
なお、変形だるま孔１０は、支柱２の前面、後面および両側面の一面のみ、または２面もしくは３面のみに設けることもあり、さらに、支柱２の上部と下部とのいずれか一方のみに設けることもある。
【００３１】
変形だるま孔１０は、図４に示すように、上下方向を向く長軸１１ａの長さをボルト８の大径頭部８ｃの直径Ｌ２より大、かつ水平方向の短軸１１ｂの長さをボルト８の大径頭部８ｃの直径Ｌ２より小であるが、ボルト８の大径頭部８ｃを、図５に示すように、斜めにすれば挿通しうる程度の寸法とした非円形大孔１１と、この非円形大孔１１の周縁の一部、図示の例では、その下端中央に連設され、かつボルト８の非円形部８ｂの外形とほぼ補形をなし、非円形部８ｂが嵌合することにより、ボルト８が回り止めされるようにした非円形小孔１２とからなっている。
【００３２】
非円形大孔１１は、この例では、楕円形としてあるが、長円形、またはその他の非円形とすることができる。
【００３３】
また、非円形小孔１２は、この例では、ボルト８の非円形部８ｂの外形である四角形と補形をなし、１対角線が変形だるま孔１０の非円形大孔１１の長軸１１ａの下方への延長線１１ｃと一致する四角形としてあるが、非円形大孔１１の下端中央より垂下する長方形、またはその他の非円形とすることができる。
ただ、非円形小孔１２を、図４に示す形状とすると、非円形小孔１２の３個の角部において、ボルト８の非円形部８ｂの３個の角部と係合することができるので、ボルト８を強力に回り止めすることができる。
【００３４】
変形だるま孔１０における非円形大孔１１と非円形小孔１２との連設部１３の幅Ｗ１は、ボルト８の雄ねじ部８ａの直径Ｌ１より大、かつボルト８の大径頭部８ｃの直径Ｌ２より小としてあり、少なくとも、ボルト８の雄ねじ部８ａが、変形だるま孔１０における非円形大孔１１から非円形小孔１２へ、およびその逆方向へ、自由に移動することができるようにしてある。
【００３５】
図１および図２に示すように、仕切部材３は、アングル材により形成された左右１対の側部フレーム１４、１４と、同じくアングル材により形成された上部フレーム１５および下部フレーム１６と、左右の側部フレーム１４、１４における上下方向の中間部同士を連結する、チャンネル材よりなる中間連結材１７との相互間を溶接等により固着してなる枠体１８と、この枠体１８の後面に固着した格子１９とからなっている。
【００３６】
格子１９は、矩形の縁材２０に、棒鋼材からなる複数の縦杆２１と横杆２２とを格子状に組み込んだものよりなっている。
なお、格子１９に代えて、ネットまたはパネル(いずれも図示略)とすることもある。
【００３７】
左右の側部フレーム１４における前後方向を向く外側片１４ａの下部には、ボルト８の非円形部８ｂが嵌合しうる係合孔２３と、この係合孔２３から外側片１４ａの前縁に向かって斜め下向きに開口する導入口２４とが、連続して設けられている。
【００３８】
図示の例では、係合孔２３は、一部がボルト８の非円形部８ｂの外形と補形をなすか、またはそれよりわずかに寸法を大とした四角形をなし、かつその対向する２辺が、そのまま導入口２４の両縁に連続する形状としてある。
【００３９】
外側片１４ａの上部には、ボルト８の非円形部８ｂが嵌合しうる係合孔２５と、この係合孔２５から外側片１４ａの前縁に向かって水平に開口する導入口２６とが、連続して設けられている。
【００４０】
図示の例では、係合孔２５は、一部がボルト８の非円形部８ｂの外形と補形をなすか、またはそれよりわずかに寸法を大とした四角形をなし、その四角形の１対角線が、水平とした導入口２６の中心線と連続する形状としてある。
導入口２６の上下方向の幅は、ボルト８の雄ねじ部の直径Ｌ１より大、ボルト８の非円形部８ｂの外形である四角形の一辺の長さと同一か、またはそれより小とするのが好ましい。
【００４１】
次に、床面１上に立設した左右の支柱２、２への仕切部材３の取り付け要領について説明する。
ボルト８の雄ねじ部８ａの先端部にナット９を緩めに螺合させた状態で、図５に示すように、ボルト８の中心軸線を、変形だるま孔１０における非円形大孔１１の短軸１１ｂ方向、すなわち側方に斜めに傾けて、ボルト８の大径頭部８ｃを、変形だるま孔１０の非円形大孔１１に斜めの方向から挿入した後、ボルト８の向きを支柱２の表面と直交する方向まで戻し、次いで、ボルト８の雄ねじ部８ａが変形だるま孔１０における連設部１３を通るようにして、ボルト８をわずかに下降させることにより、ボルト８とナット９とを、左右の支柱２、２の対向面の上下部における各変形だるま孔１０に、先端部にナット９が螺合している雄ねじ部８ａが両支柱２、２の対向面より互いに内方に突出するようにして、脱落することなく、仮止めしておく。
【００４２】
左右の支柱２、２の下部の変形だるま孔１０に係合させるボルト８、８に関しては、上記の状態から、さらに雄ねじ部８ａ、８ａを両支柱２、２間の内方に引き寄せて、ボルト８、８の非円形部８ｂ、８ｂを、対応する変形だるま孔１０の非円形小孔１２に嵌合させ、非円形部８ｂ、８ｂの一部も、両支柱２、２の対向面より互いに内方に突出させておく。
【００４３】
次いで、仕切部材３を、図７に示すように、下部が上部より支柱２、２寄りとなるようにわずかに傾斜させて、下部の左右の導入口２４、２４を、左右の支柱２、２の対向面の下部より互いに内方に突出するボルト８、８における非円形部８ｂ、８ｂに挿入する。
【００４４】
左右のボルト８、８の非円形部８ｂ、８ｂが、対応する各導入口２４から、その奥部の係合孔２３まで相対的に進入した後、仕切部材３の上部を、図７に矢印で示すように、支柱２、２の下部におけるボルト８、８を中心として起立する方向に回動させる。
このときのボルト８の非円形部８ｂに対する仕切部材３の係合孔２３のわずかな相対回動は、それらの寸法誤差によって許容される。また、それを許容するために、係合孔２３と導入口２４の寸法を、ボルト８の非円形部８ｂの寸法よりわずかに大としておくこともある。
【００４５】
この回動により、左右の支柱２、２の対向面の上部より互いに内方に突出するボルト８、８における雄ねじ部８ａ、８ａが、仕切部材３における上部の左右の導入口２６、２６内に相対的に進入し、仕切部材３が支柱２、２と平行をなすほぼ垂直状態となると、雄ねじ部８ａ、８ａは、係合孔２５、２５に嵌合する。
【００４６】
その後、上方の各ボルト８を左右の支柱２、２の内方に引出し、ボルト８における非円形部８ｂを、変形だるま孔１０における非円形小孔１２と、仕切部材３における係合孔２５とに連続して嵌合させた後、ナット９を締め付けて、ボルト８の大径頭部８ｃとナット９との間に、支柱２の板厚部分と仕切部材３における側部フレーム１４の外側片１４ａとの上部同士を締着する。
【００４７】
また、下方の各ボルト８に螺合するナット９を締め付けて、ボルト８の大径頭部８ｃとナット９との間に、支柱２の板厚部分と仕切部材３における側部フレーム１４の外側片１４ａとの下部同士を締着する。
【００４８】
以上のようにして、左右の支柱２、２へ仕切部材３を取り付けると、仕切装置を簡単かつ迅速に組み立てることができる。
また、組み付け時および組み付け後において、ボルト８が支柱２から脱落するおそれが少なく、しかも支柱２と仕切部材３との連結構造を簡素化し、組み付け作業性をよくすることができる。
【００４９】
すなわち、組み付け時において、ボルト８の大径頭部８ｃを、変形だるま孔１０の非円形大孔１１に、斜めにして挿通させた後は、ボルト８の大径頭部８ｃは、ボルト８の中心軸線が支柱２の表面に対して直交する方向を向く普通の姿勢では、変形だるま孔１０の非円形大孔１１から抜け出ることはなく、組み付け時および組み付け後において、ボルト８が支柱２から脱落するのを防止することができる。
【００５０】
また、ボルト８の非円形部８ｂを、支柱２１における変形だるま孔１０の非円形小孔１２に嵌合させると、ボルト８は回り止めされるので、ボルト８の雄ねじ部８ａに螺合するナット９を締め付ける際に、ボルト８を片手で押さえておかなくとも、ボルト８がナット９と共回りすることがなく、ナット９を楽に締め付けることができ、組み付け作業性をよくすることができる。
さらに、従来のだるま孔の形状を変えるだけで、特別な部材を付加したり、特殊な加工を施したりする必要がなく、構造の簡素化を図ることができる。
【００５１】
ボルト８の非円形部８ｂを四角形とし、かつ変形だるま孔１０の非円形小孔１２を、ボルト８の非円形部８ｂの四角形と補形をなし、１対角線が変形だるま孔１０の非円形大孔１１の長軸または短軸の延長線と一致する四角形とし、さらに、変形だるま孔１０における非円形大孔１１と非円形小孔１２との連設部１３の幅Ｗ１を、ボルト８の雄ねじ部８ａの直径より大としてあるので、ボルト８の非円形部８ｂを支柱２における変形だるま孔１０の非円形小孔１２に嵌合させたとき、非円形小孔１２の３個の角部において、ボルト８の非円形部８ｂの３個の角部と係合することができるので、ボルト８を強力に回り止めすることができるとともに、変形だるま孔１０の形状をデザイン的に優れたものとすることができる。
【００５２】
変形だるま孔１０の非円形大孔１１を、楕円形または長円形とすると、ボルト８の大径頭部８ｃを、斜めにした状態で、支柱２に設けた変形だるま孔１０の非円形大孔１１に、円滑に挿入することができるだけでなく、楕円形の非円形大孔１１の長軸１１ａが、支柱２の長手方向を向くようにすれば、幅狭の支柱２にも、本発明を適用することができ、汎用性が増す。
【００５３】
係合孔２３、２５を、それにボルト８の非円形部８ｂを嵌合したとき、仕切部材３に対してボルト８が回り止めされる形状とし、かつボルト８の非円形部８ｂを、変形だるま孔１０の非円形小孔１２と上記係合孔２３、２５との両方に嵌合させて、ボルト８の雄ねじ部８ａに螺合するナット９を締着するようにしてあるので、支柱２と仕切部材３とが、ボルト８の非円形部８ｂを介して互いに回り止めされた状態で、ナットにより締着され、両部材の結合がより強固となる。
【００５４】
図１〜図７に示す実施形態においては、仕切部材３における側部フレーム１４の外側片１４ａの下部に、ボルト８の非円形部８ｂが嵌合しうる係合孔２３と、この係合孔２３から外側片１４ａの前縁に向かって斜め下向きに開口する導入口２４とを設け、外側片１４ａの上部に、ボルト８の非円形部８ｂが嵌合しうる係合孔２５と、この係合孔２５から外側片１４ａの前縁に向かって水平に開口する導入口２６とを設けてあるが、図８に示す変形例のように、仕切部材３における側部フレーム１４の外側片１４ａの上部に、上記係合孔２３と同様の係合孔(図示略)と、この係合孔から外側片１４ａの前縁に向かって斜め下向きに開口する導入口２４とを設け、外側片１４ａの下部に、係合孔２５と、この係合孔２５から外側片１４ａの前縁に向かって水平に開口する導入口２６とを設けてもよい。
【００５５】
この場合は、仕切部材３を、図８に示すように、上部が下部より支柱２、２寄りとなるようにわずかに傾斜させて、上部の左右の導入口２４、２４を、左右の支柱２、２の対向面の上部より互いに内方に突出するボルト８、８における非円形部８ｂ、８ｂに挿入して、上部の係合孔を上部のボルト８の非円形部８ｂに係合させた後、仕切部材３の下部を、上部を回転中心として、支柱２に向けて回動させて、支柱２の下部に仮止めされたボルト８の雄ねじ部８ａに、仕切部材３の下部に設けた水平に開口する導入口２６を通して、係合孔２５を雄ねじ部８ａに係合させ、その後、ボルト８を内方に引き出し、ナット９を締め付けることにより、支柱２の板厚部分と仕切部材３における側部フレーム１４の外側片１４ａとの下部同士を締着し、その後、上方のボルト８に螺合するナット９を締め付けて、支柱２の板厚部分と仕切部材３における側部フレーム１４の外側片１４ａとの下部同士を締着すればよい。
【００５６】
本発明は、上記実施形態および変形例のみに限定されるものではなく、特許請求の範囲を逸脱することなく、例えば、次のような変形した態様での実施が可能である。
(１)  変形だるま孔１０の非円形大孔１１を、その長軸１１ａが左右方向を向くようにして支柱２に設け、上下方向を向く非円形大孔１１の短軸１１ｂの下方への延長線１１ｃに、四角形の非円形小孔１２の１対角線が一致するようにする。
(２)  ２枚の板材を単に連結するだけの場合において、一方の板材に変形だるま孔１０を設け、他方の板材に、導入口２４、２６を省略して、係合孔２３または２５のみを設け、この係合孔２３または２５に、ボルト８の雄ねじ部８ａを挿通させて、その外側からナット９を雄ねじ部８ａに螺合させて締め付けるようにする。
(３)  ボルト８における非円形部８ｂの軸線方向の長さを、支柱２の板厚とほぼ同一か、またはそれより小とし、この非円形部８ｂに、支柱２における変形だるま孔１０の非円形小孔１２のみが嵌合されて、ボルト８が支柱２回り止めされるようにし、仕切部材３における係合孔２３、２５は、単にボルト８の雄ねじ部８ａが挿通するだけで、ボルト８は仕切部材３に対しては回り止めされないものとする。
【産業上の利用可能性】
【００５７】
本発明の２部材の連結構造は、上記のような仕切装置における支柱２と仕切部材３との連結だけでなく、２枚の板材を連結するあらゆる場合に適用することができる。
また、本発明の仕切装置は、上記のような、危険性のある場所への人の立ち入りを防ぐための安全柵だけでなく、間仕切、陳列棚等の、仕切部材とそれを支持する支柱とを備えるあらゆる仕切装置に適用することができる。
【符号の説明】
【００５８】
Ｗ１連設部の幅
Ｌ１ボルトの雄ねじ部の直径
Ｌ２ボルトの大径頭部の直径
１  床面
２  支柱
３  仕切部材
４  アンカープレート
４ａ上向き突出部
５  ボルト
５ａナット
６  アンカーボルト
７  エンドキャップ
８  ボルト
８ａ雄ねじ部
８ｂ非円形部
８ｃ大径頭部
９  ナット
９ａフランジ
１０  変形だるま孔
１１  非円形大孔
１１ａ長軸
１１ｂ短軸
１１ｃ延長線
１２  非円形小孔
１３  連設部
１４  側部フレーム
１４ａ外側片
１５  上部フレーム
１６  下部フレーム
１７  中間連結材
１８  枠体
１９  格子
２０  縁材
２１  縦杆
２２  横杆
２３  係合孔
２４  導入口
２５  係合孔
２６  導入口
【図１】
2016065409.tif 000003
【図２】
2016065409.tif 000004
【図３】
2016065409.tif 000005
【図４】
2016065409.tif 000006
【図５】
2016065409.tif 000007
【図６】
2016065409.tif 000008
【図７】
2016065409.tif 000009
【図８】
2016065409.tif 000010